(57)【要約】【課題】不正使用を阻止するセキュリティ対応ハードディスク装置を提供する。【解決手段】磁気記録媒体１４０および磁気ヘッド１４４を内包した筐体１２０と、該筐体内に設けられ、前記磁気記録媒体の少なくとも記録層を溶融し得る溶液を包含する溶液容器１８０と、前記筐体の開封に応答して、前記溶液容器内の溶液を前記磁気記録媒体の少なくとも記録層に噴射させる溶液噴射手段とを備える。【選択図】　　　　図１
2004103201.tif 000002
【特許請求の範囲】
【請求項１】
磁気記録媒体および磁気ヘッドを内包した筐体と、
該筐体内に設けられ、前記磁気記録媒体の少なくとも記録層を溶融し得る物質を包含する容器と、
前記筐体の開封に応答して、前記容器内の内容物を前記磁気記録媒体の少なくとも記録層に噴射させる噴射手段と
を備えることを特徴とするセキュリティ対応ハードディスク装置。
【請求項２】
前記噴射手段は、前記筐体が密封構造に形成され、該筐体内の圧力が前記容器と概ね同じ圧力で、大気圧よりも高く保持されることにより構成されていることを特徴とする請求項１に記載のセキュリティ対応ハードディスク装置。
【請求項３】
前記容器は、前記磁気記録媒体の記録層に向けられた噴射口を有し、該噴射口は圧力差により開かれる封止手段を有していることを特徴とする請求項１または２に記載のセキュリティ対応ハードディスク装置。
【請求項４】
前記噴射手段は、前記筐体が圧力的に密閉構造に形成され、その壁面の一部に前記容器を押圧可能な可動部が設けられると共に、前記筐体を覆う密閉構造の外側筐体がさらに設けられ、該筐体内の圧力が前記容器と概ね同じ圧力で、前記筐体内の圧力と前記外側筐体内の圧力とが大気圧より低く保持されることにより構成されていることを特徴とする請求項１に記載のセキュリティ対応ハードディスク装置。
【請求項５】
前記容器は、前記磁気記録媒体の記録層に向けられた噴射口を有し、該噴射口は圧力差により開かれる封止手段を有していることを特徴とする請求項４に記載のセキュリティ対応ハードディスク装置。
【請求項６】
前記噴射手段は、前記筐体の蓋を固定しているねじに連動され、ねじの取外し時に、前記容器を押圧可能なラチェット機構により構成されていることを特徴とする請求項１に記載のセキュリティ対応ハードディスク装置。
【請求項７】
前記容器は、前記磁気記録媒体の記録層に向けられた噴射口を有し、該噴射口は圧力差により開かれる封止手段を有していることを特徴とする請求項６に記載のセキュリティ対応ハードディスク装置。
【請求項８】
前記噴射手段は、前記筐体が開封されたことを検出するセンサと、
該センサからの信号に応じて、前記筐体よりも高圧の前記容器に設けられた弁を作動させる弁作動手段と
を備えることを特徴とする請求項１に記載のセキュリティ対応ハードディスク装置。
【請求項９】
前記容器は、前記磁気記録媒体の少なくとも記録層を溶融し得る物質と共に、前記磁気記録媒体の少なくとも記録層に付着する微粒子を含んでいることを特徴とする請求項１ないし８のいずれかに記載のセキュリティ対応ハードディスク装置。
【請求項１０】
磁気記録媒体および磁気ヘッドを内包した筐体と、
該筐体内に設けられ、前記磁気記録媒体の少なくとも記録層を溶融し得る酸性溶液を包含する酸性溶液容器と、
該筐体内に設けられ、前記酸性溶液を中和するアルカリ性溶液を包含するアルカリ性溶液容器と、
前記筐体の開封に応答して、前記酸性溶液容器内の酸性溶液を前記磁気記録媒体の少なくとも記録層に噴射させる酸性溶液噴射手段と、
前記筐体の開封に応答して、前記アルカリ性溶液容器内のアルカリ性溶液を前記磁気記録媒体の少なくとも記録層に噴射させるアルカリ性溶液噴射手段と、
を備えることを特徴とするセキュリティ対応ハードディスク装置。
【請求項１１】
前記酸性溶液容器および前記アルカリ性溶液容器は二重容器であり、その内容器内に前記酸性溶液およびアルカリ性溶液がそれぞれ１気圧以上の圧力で封入されていると共に、内容器の少なくとも吐出口にそれぞれヒータを備えることを特徴とする請求項１０に記載のセキュリティ対応ハードディスク装置。
【請求項１２】
前記酸性溶液噴射手段は、前記磁気記録媒体の少なくとも記録層に対向して開口する複数のノズルを有するノズル管と、該ノズル管と前記酸性溶液容器の外容器の吐出口とを連結する配管とを含み、前記アルカリ性溶液噴射手段は、前記ノズル管と前記アルカリ性溶液容器の外容器の吐出口とを連結する配管とを含むことを特徴とする請求項１１に記載のセキュリティ対応ハードディスク装置。
【請求項１３】
前記酸性溶液容器および前記アルカリ性溶液容器は、ガラス、セラミックおよび高分子樹脂の群から選ばれた一つから製作されていることを特徴とする請求項１０ないし１２のいずれかに記載のセキュリティ対応ハードディスク装置。
【請求項１４】
前記筐体が開封されたことを検出するセンサと、該センサからの信号に応じて、前記酸性溶液容器および前記アルカリ性溶液容器のヒータへ通電する通電手段を備え、前記アルカリ性溶液容器のヒータへの通電が前記酸性溶液容器のヒータへの通電よりも遅延されていることを特徴とする請求項１１ないし１３のいずれかに記載のセキュリティ対応ハードディスク装置。
【請求項１５】
磁気記録媒体および磁気ヘッドを内包した筐体と、
該筐体内に設けられ、前記磁気記録媒体の少なくとも記録層を溶融し得る酸性溶液を包含する酸性溶液容器と、
該筐体内に設けられ、前記酸性溶液を中和するアルカリ性粉末を包含するアルカリ性粉末容器と、
前記筐体の開封に応答して、前記酸性溶液容器内の酸性溶液を前記磁気記録媒体の少なくとも記録層に噴射させる酸性溶液噴射手段と、
前記筐体の開封に応答して、前記アルカリ性粉末容器内のアルカリ性粉末を前記磁気記録媒体の少なくとも記録層に噴射させるアルカリ性粉末噴射手段と、
を備えることを特徴とするセキュリティ対応ハードディスク装置。
【請求項１６】
前記酸性溶液容器は二重容器でその内容器内に前記酸性溶液が１気圧以上の圧力で封入され、および前記アルカリ性粉末容器は一重容器でアルカリ性粉末が１気圧以上の圧力で封入されており、前記内容器および前記アルカリ性粉末容器の吐出口にそれぞれヒータを備えることを特徴とする請求項１５に記載のセキュリティ対応ハードディスク装置。
【請求項１７】
前記酸性溶液噴射手段は、前記磁気記録媒体の少なくとも記録層に対向して開口する複数のノズルを有するノズル管と、該ノズル管と前記酸性溶液容器の外容器の吐出口とを連結する配管とを含むことを特徴とする請求項１６に記載のセキュリティ対応ハードディスク装置。
【請求項１８】
前記アルカリ性粉末噴射手段は、前記ノズル管と前記アルカリ性粉末容器の吐出口とを連結する配管を含むことを特徴とする請求項１７に記載のセキュリティ対応ハードディスク装置。
【請求項１９】
前記酸性溶液容器および前記アルカリ性粉末容器は、ガラス、セラミックおよび高分子樹脂の群から選ばれた一つから製作されていることを特徴とする請求項１５ないし１９のいずれかに記載のセキュリティ対応ハードディスク装置。
【請求項２０】
前記筐体が開封されたことを検出するセンサと、該センサからの信号に応じて、前記酸性溶液容器および前記アルカリ性粉末容器のヒータへの通電手段を備え、前記アルカリ性粉末容器のヒータへの通電が前記酸性溶液容器のヒータへの通電よりも遅延されていることを特徴とする請求項１５ないし１９のいずれかに記載のセキュリティ対応ハードディスク装置。
【発明の詳細な説明】
【０００１】
【発明の属する技術分野】
この発明は、ハードディスク装置の磁気記録媒体に記録された情報を、違法な手段で入手しようとした場合等に、その情報の読み出しを不可能にするセキュリティ対応ハードディスク装置に関する。
【０００２】
【従来の技術】
現在のパソコン等の端末機器では、各種のコンテンツがハードディスク装置にプレインストールされていたり、ユーザーが必要とするコンテンツをインターネット等を経由してハードディスク装置にダウンロードして入手したりすることにより、それらを容易に利用することが出来るようになって来ている。そこで、このようにコンテンツが広く行き渡るようになるのに伴い、そのコンテンツの不正利用を確実に防止することも求められて来ている。
【０００３】
従来、不正利用を防止するためには、ＩＤ番号や，パスワードが設定され、契約者のみが使用できるようにされていたが、契約者がＩＤ番号，パスワードを第三者に漏洩し、この第三者が不正使用を行っているケースも見受けられた。このため、新たな対策として、例えば、特許文献１に記載のような記録媒体個々にＩＤを埋め込んでおき、例えばコンテンツを利用する為に必要なコンテンツキーを、前記ＩＤを基にして作成することにより、始めてコンテンツを利用することが可能となるようなシステムが提案されている。このようにすれば、媒体に埋め込まれているＩＤが盗まれない限り、素人に限らず、マ二ア等によるコンテンツの不正利用は完全に阻止されることになる。
【０００４】
【特許文献１】
特開２０００−２９８９４２号公報
【０００５】
【発明が解決しようとする課題】
しかしながら、上記のような不正防止の対策を行っていても、専門知識を持っている者が、ハードディスク装置を分解し、記録媒体の記録面の記録状態を磁気ヘッドを用いて読み取り、信号処理などの手段を用いれば、コンテンツキー，ＩＤ等を盗み取ることは原理的に可能であり、これにより著作権等で保護されているコンテンツ情報のみを取り出すことは、専門家にとっては全く不可能とは言えない。
【０００６】
従って、インターネットなどを用いたコンテンツ配信の普及をさらに高めるためには、コンテンツ供給者の著作権等が完全に保護される信頼性の高いシステムが求められている。
【０００７】
本発明の目的は、かかる要求を満たすセキュリティ対応ハードディスク装置を提供することにある。
【０００８】
本発明のさらに他の目的は、危険を伴うことのないセキュリティ対応ハードディスク装置を提供することにある。
【０００９】
【課題を解決するための手段】
上述の要求を満たす本発明の一形態によるセキュリティ対応ハードディスク装置は、磁気記録媒体および磁気ヘッドを内包した筐体と、該筐体内に設けられ、前記磁気記録媒体の少なくとも記録層を溶融し得る物質を包含する容器と、前記筐体の開封に応答して、前記容器内の内容物を前記磁気記録媒体の少なくとも記録層に噴射させる噴射手段とを備えることを特徴とする。
【００１０】
前記噴射手段は、前記筐体が密封構造に形成され、該筐体内の圧力が前記容器と概ね同じ圧力で、大気圧よりも高く保持されていてもよい。
【００１１】
前記噴射手段は、前記筐体が圧力的に密閉構造に形成され、その壁面の一部に前記容器を押圧可能な可動部が設けられると共に、前記筐体を覆う密閉構造の外側筐体がさらに設けられ、該筐体内の圧力が前記容器と概ね同じ圧力で、前記筐体内の圧力と前記外側筐体内の圧力とが大気圧より低く保持されていてもよい。
【００１２】
前記噴射手段は、前記筐体の蓋を固定しているねじに連動され、ねじの取外し時に、前記容器を押圧可能なラチェット機構により構成されていてもよい。
【００１３】
前記容器は、前記磁気記録媒体の記録層に向けられた噴射口を有し、該噴射口は圧力差により開かれる封止手段を有していることが好ましい。
【００１４】
前記噴射手段は、前記筐体が開封されたことを検出するセンサと、該センサからの信号に応じて、前記筐体よりも高圧の前記容器に設けられた弁を作動させる弁作動手段とを備えていてもよい。
【００１５】
前記容器は、前記磁気記録媒体の少なくとも記録層を溶融し得る物質と共に、前記磁気記録媒体の少なくとも記録層に付着する微粒子を含んでいてもよい。
【００１６】
本発明の一形態によれば、ハードディスク装置が開けられると、磁気記録媒体の少なくとも記録層を溶融し得る物質が噴射手段により噴射され、磁気記録媒体の記録が消去される。これにより、コンテンツ情報が正しく読み出せないようになり、コンテンツの読み出しが阻止される。
【００１７】
上述の要求を満たす本発明の他の形態によるセキュリティ対応ハードディスク装置は、磁気記録媒体および磁気ヘッドを内包した筐体と、該筐体内に設けられ、前記磁気記録媒体の少なくとも記録層を溶融し得る酸性溶液を包含する酸性溶液容器と、該筐体内に設けられ、前記酸性溶液を中和するアルカリ性溶液を包含するアルカリ性溶液容器と、前記筐体の開封に応答して、前記酸性溶液容器内の酸性溶液を前記磁気記録媒体の少なくとも記録層に噴射させる酸性溶液噴射手段と、前記筐体の開封に応答して、前記アルカリ性溶液容器内のアルカリ性溶液を前記磁気記録媒体の少なくとも記録層に噴射させるアルカリ性溶液噴射手段と、を備えることを特徴とする。
【００１８】
前記酸性溶液容器および前記アルカリ性溶液容器は二重容器であり、その内容器内に前記酸性溶液およびアルカリ性溶液がそれぞれ１気圧以上の圧力で封入されていると共に、内容器の少なくとも吐出口にそれぞれヒータを備えていてもよい。
【００１９】
前記酸性溶液噴射手段は、前記磁気記録媒体の少なくとも記録層に対向して開口する複数のノズルを有するノズル管と、該ノズル管と前記酸性溶液容器の外容器の吐出口とを連結する配管とを含み、前記アルカリ性溶液噴射手段は、前記ノズル管と前記アルカリ性溶液容器の外容器の吐出口とを連結する配管とを含んでいてもよい。
【００２０】
前記酸性溶液容器および前記アルカリ性溶液容器は、ガラス、セラミックおよび高分子樹脂の群から選ばれた一つから製作されてもよい。
【００２１】
前記筐体が開封されたことを検出するセンサと、該センサからの信号に応じて、前記酸性溶液容器および前記アルカリ性溶液容器のヒータへ通電する通電手段を備え、前記アルカリ性溶液容器のヒータへの通電が前記酸性溶液容器のヒータへの通電よりも遅延されていることが好ましい。
【００２２】
上述の要求を満たす本発明のさらに他の形態によるセキュリティ対応ハードディスク装置は、磁気記録媒体および磁気ヘッドを内包した筐体と、該筐体内に設けられ、前記磁気記録媒体の少なくとも記録層を溶融し得る酸性溶液を包含する酸性溶液容器と、該筐体内に設けられ、前記酸性溶液を中和するアルカリ性粉末を包含するアルカリ性粉末容器と、前記筐体の開封に応答して、前記酸性溶液容器内の酸性溶液を前記磁気記録媒体の少なくとも記録層に噴射させる酸性溶液噴射手段と、前記筐体の開封に応答して、前記アルカリ性粉末容器内のアルカリ性粉末を前記磁気記録媒体の少なくとも記録層に噴射させるアルカリ性粉末噴射手段と、を備えることを特徴とする。
【００２３】
前記酸性溶液容器は二重容器でその内容器内に前記酸性溶液が１気圧以上の圧力で封入され、および前記アルカリ性粉末容器は一重容器でアルカリ性粉末が１気圧以上の圧力で封入されており、前記内容器および前記アルカリ性粉末容器の吐出口にそれぞれヒータを備えていてもよい。
【００２４】
前記酸性溶液噴射手段は、前記磁気記録媒体の少なくとも記録層に対向して開口する複数のノズルを有するノズル管と、該ノズル管と前記酸性溶液容器の外容器の吐出口とを連結する配管とを含んでいてもよい。
【００２５】
前記アルカリ性粉末噴射手段は、前記ノズル管と前記アルカリ性粉末容器の吐出口とを連結する配管を含んでいてもよい。
【００２６】
前記酸性溶液容器および前記アルカリ性粉末容器は、ガラス、セラミックおよび高分子樹脂の群から選ばれた一つから製作されていてもよい。
【００２７】
前記筐体が開封されたことを検出するセンサと、該センサからの信号に応じて、前記酸性溶液容器および前記アルカリ性粉末容器のヒータへの通電手段を備え、前記アルカリ性粉末容器のヒータへの通電が前記酸性溶液容器のヒータへの通電よりも遅延されていることが好ましい。
【００２８】
本発明の他の形態によれば、ハードディスク装置が開けられると、磁気記録媒体の少なくとも記録層を溶融し得る酸性溶液が酸性溶液噴射手段により噴射され、磁気記録媒体の記録が消去される。これにより、コンテンツ情報が正しく読み出せないようになり、コンテンツの読み出しが阻止される。さらに、アルカリ性溶液または粉末が噴射されて中和するので、破壊後の安全性が確保される。
【００２９】
【発明の実施の形態】
以下、本発明の実施の形態を添付図面を参照しつつ説明する。
【００３０】
まず、本発明の第一の実施の形態によるハードディスク装置１００の断面構造を図１に示す。本発明の第一の実施の形態によるハードディスク装置１００は、所定の圧力に保持され得る密封構造の筐体１２０を有し、その内部に磁気記録媒体としてのハードディスク１４０，ヘッドアーム１４２、磁気ヘッド１４４等が内包されている。なお、１４６はハードディスク１４０を駆動するスピンドルモータ、１９０はハードディスク装置１００の制御を行う回路等が配された回路基板である。筐体１２０の内部には、磁気記録媒体１４０の磁性層１４０ａおよび潤滑層１４０ｂからなる記録層に対向する位置に、前記磁気記録媒体の少なくとも記録層を溶融し得る溶液が高圧で封入された溶液容器１８０が配置されている。
【００３１】
この容器１８０には、溶液を磁気記録媒体の少なくとも記録層に噴射させるように、磁気記録媒体の記録層側に向けられた噴射口１８２が設けられ、この噴射口１８２には圧力差により開かれる封止手段として、図２に示すように、通常時には先端部を封止する封止フィルム１８４が設けられている。ハードディスク装置として組上げる時には、筐体１２０内の圧力が、溶液容器１８０内と概ね同じ圧力で、大気圧よりも高く保持されるようにし、溶液容器１８０には圧力差に伴う内圧が加わらないようにされている。
【００３２】
このようにして構成された本発明の第一の実施の形態によるハードディスク装置１００において、コンテンツを盗もうとして、ハードディスク装置１００の筐体１２０が開封されると、筐体１２０内の圧力は大気圧となり、これよりも高圧に維持されていた溶液容器１８０の内圧により、最も圧力的に弱い封止フィルム１８４が剥離または破断等により開かれる（図２（Ｂ）参照）。すると、噴射口１８２から溶液が噴出・飛散し、磁気記録媒体１４０の記録層に噴射され、記録層の磁性層１４０ａまたは潤滑層１４０ｂを溶融または溶解することで、磁性層に埋め込まれた情報を正常に読み出せなくする。なお、この溶液としては、酸系および有機溶剤系の薬品（例えば、塩酸等）を用いることができる。
【００３３】
次に、本発明の第二の実施の形態によるハードディスク装置２００を図４および図５を参照しつつ説明する。本発明の第二の実施の形態によるハードディスク装置２００は、密閉された二室構造となっている。より詳しくは、第一の実施の形態における筐体に相当する内側筐体２５０を覆う密閉構造の外側筐体２２０がさらに設けられている。この結果、内側筐体２５０内には内側圧力密閉室２３０が形成され、内側筐体２５０と外側筐体２２０との間に外側圧力密閉室２１０が形成されている。なお、内側筐体２５０には、上述の第一の実施の形態において述べたのと同様なハードディスク１４０，ヘッドアーム１４２、磁気ヘッド１４４等の部品が内包されており、前実施の形態と同一機能部位については同一符号を用い重複説明を避ける。
【００３４】
そして、第二の実施の形態によるこの内側筐体２５０の壁面の一部には、溶液容器２８０を押圧可能な可動部２６０が設けられている。この可動部２６０は外側圧力密閉室２１０と内側圧力密閉室２３０との差圧による変位量を大きく、また変位量を安定的に得る為に、ゴム等の素材からなるベローズ状に形成されている。
【００３５】
可動部材２６０の中心には、図４および５に詳しく示すように、磁気記録媒体としてのハードディスク１４０の磁性層１４０ａを含む記録面に対向する関係で、磁気記録媒体とほぼ同じ大きさの円盤状の連動板２７０が、主軸２７２を介して固定されている。主軸２７２の中心には、案内孔２７２ａが穿設されており、スピンドルモータ１４６のシャフト１４７が嵌合されている。なお、１４０ｂは、磁性層１４０ａの表面に被覆された潤滑層である。この連動板２７０は、固定板２７６に支持されている溶液容器２８０の背面に取付けられている。また、連動板２７０は、その上下移動を滑らかに行う為に、図５に示すように、複数本の側柱２７４にガイドされるようにしてもよい。
【００３６】
溶液容器２８０は、連動板２７０を介して可動部２６０により押圧可能に可撓性素材で形成され、磁気記録媒体１４０の記録層に向けられた噴射口２８２を有し、該噴射口２８２は圧力差により開かれる封止手段としての封止フィルム２８４を有している。そして、本発明の第二の実施の形態によるハードディスク装置２００は、その組立の際に、内側筐体２５０内の圧力が溶液容器２８０と概ね同じ圧力で、内側筐体２５０内の圧力と外側筐体２２０内の圧力とが大気圧より低く保持されることにより構成されている。
【００３７】
このように構成されたハードディスク装置２００において、外側筐体２２０が開封されると、外側の密閉室２１０の圧力が大気圧となり、内側筐体２５０の壁面に設けられている可動部２６０に圧力差に伴う力が働き、可動部２６０が移動する。この可動部２６０の移動により、溶解溶液が封入されている溶液容器２８０の背面が連動板２７０により押され、内部の圧力が高まる。この溶解溶液が封入されている容器の先端に設けられている噴射口２８２は、封止フィルム２８４の剥離または破断等により開かれる。すると、第一の実施の形態と同様に、噴射口２８２から溶液が噴出・飛散し、磁気記録媒体１４０の記録層に噴射され、記録層の磁性層１４０ａまたは潤滑層１４０ｂを溶融または溶解することで、磁性層に埋め込まれた情報を正常に読み出せなくする。
【００３８】
さらに、本発明の第三の実施の形態につき図６および図７を参照して説明する。
【００３９】
第一および第二の実施の形態では、ハードディスク装置内の圧力の変化を利用して、溶液噴射手段を作動させるようにしたが、第三の実施の形態においては、筐体の蓋を固定しているねじに連動される機械的なラチェット機構を利用するものである。
【００４０】
詳しくは、本発明の第三の実施の形態にかかるハードディスク装置３００は、筐体３２０に対し蓋３２４が固定ねじ３２６によって固定されている。固定ねじ３２６の先端部にはラチェット機構３３０が設けられている。本実施の形態におけるラチェット機構３３０は、固定ねじ３２６に遊嵌されて設けられ、側面に上方向傾斜面と直立面とを有する鋸歯が形成されている可動リング３３２を備えている。なお、可動リング３３２の固定ねじ３２６への取付けは止め輪３３４で行われており、固定ねじ３２６の回転からフリーである。可動リング３３２に対向する位置には、同じく側面に下方向傾斜面と直立面とを有する鋸歯が形成された分割式固定リング３３６が設けられ、これは筒状枠３４０に立設された上下壁３３８により、固定ねじ３２６の移動方向への移動は拘束されているが、固定ねじ３２６の移動方向と直交する半径方向への移動はその背面に設けられたばね３４２によりフリーとされている。以上のような構成のラチェット機構３３０によれば、蓋３２４を組み立てる時の固定ねじ３２６のねじ込みの場合には、可動リング３３２が押し込まれる方向となり、可動リング３３２と固定リング３３６の鋸歯状部分が傾斜面同士が当接し互いに逃げあう向きとなるので、固定リング３３６はばね３４２を撓ませるのみで、筒状枠３４０は動かない。
【００４１】
そして、本実施の形態においては、筒状枠３４０の下部に可撓性フィルム等で形成された溶液容器３８０が内蔵されており、前実施の形態と同様に、噴射口３８２が形成されると共に、噴射口３８２は封止フィルム３８４で塞がれている。なお、筒状枠３４０は不図示のガイド部材で筐体３２０の所定位置に、上下方向の動きは拘束されないが回転方向の動きが拘束されて支持されており、可撓性フィルム等で形成された溶液容器３８０の上部は、固定枠３４４に保持されている。なお、筐体３２０には、上述の第一の実施の形態において述べたのと同様なハードディスク１４０，ヘッドアーム１４２、磁気ヘッド１４４等の部品が内包されており、前実施の形態と同一機能部位については同一符号を用い重複説明を避ける。
【００４２】
そこで、本発明の第三の実施の形態にかかるハードディスク装置３００において、筐体３２０を開封すべく蓋３２４を外そうとして、固定ねじ３２６を回転させると、固定ねじ３２６は上方に引上げられる。すると、鋸歯状部分の直立面同士が噛み合う方向となり、固定リング３３６も引き上げられ、同時に、筒状枠３４０も引き上げられる。この結果、筒状枠３４０の下部に内蔵されている溶液容器３８０が、固定枠３４４との間で加圧されることになる。従って、本実施の形態においても、この溶液容器３８０がラチェット機構３３０を介して加圧されることにより、噴射口３８２から溶液が噴出・飛散し、磁気記録媒体１４０の記録層に噴射され、記録層の磁性層１４０ａまたは潤滑層１４０ｂを溶融または溶解することで、磁性層に埋め込まれた情報を正常に読み出せなくするのである。
【００４３】
最後に、本発明の第四の実施の形態につき図３および図８を参照して説明する。
【００４４】
本発明の第四の実施の形態に係るハードディスク装置４００は、ハードディスク装置４００の筐体４２０（または蓋）が開けられたことを、開封センサ４３０により検出し、この開封センサ４３０の出力信号を用いて、溶液容器４８０に設けられた電動式の弁を開成駆動するものである。溶液容器４８０には、図３に示すように、噴射口４８２が形成され、磁気記録媒体の少なくとも記録層を溶融し得る溶液が高圧で封入されると共に、通常時にはそれを封止する電動式の封止弁４８４が設けられている。なお、このシステムは電気で動作している為、ハードディスク装置４００内に一次または二次電池４４０の設置が必要となる。
【００４５】
ここで、開封を検出する開封センサ４３０としては、以下のようなセンサを用いることができる。
【００４６】
１）圧力センサ
この場合、ハードディスク装置４００の筐体４２０を密閉構造とし、筐体４２０内の圧力を常圧よりも十分に高圧または減圧状態に維持しておき、筐体４２０が開封されたときに、筐体４２０内の圧力が常圧に変化することを検出する。
【００４７】
２）酸素センサ
この場合も、ハードディスク装置４００の筐体４２０を密閉構造とし、筐体４２０内の気体を例えばアルゴンに置換し、酸素が無い状態に保持しておく。そして、筐体４２０が開封されたときに、筐体４２０内の酸素量が変化することを検出する。
【００４８】
３）衝撃センサ
この場合は、ハードディスク装置４００の筐体４２０を、例えば、超音波溶着などで完全に密閉構造とし、工具を使用して開封しようとするときに生ずる機械的特異振動を検出する。
【００４９】
４）受光センサ
この場合は、ハードディスク装置４００の筐体４２０を完全に遮光密閉構造とし、筐体４２０を開封したときに外部光がいることを利用して、筐体４２０の開封を検出する。
【００５０】
５）抵抗変化センサ
この場合は、ハードディスク装置４００の筐体４２０の表面に抵抗率を持った導電体を設け、導電体の各表面に抵抗測定用の電極を配置し、電極間の抵抗値の変化を測定することにより、抵抗値の大きな変化が存在したときに筐体４２０の開封として判断する。
【００５１】
かくて、本発明の第四の実施の形態に係るハードディスク装置４００では、筐体４２０が開封されたことが開封センサ４３０にて検出されると、該センサからの信号に応じて、電動式の封止弁４８４が開かれ、筐体４２０よりも高圧に維持されていた溶液容器４８０の噴射口４８２から溶液が噴出・飛散し、磁気記録媒体１４０の記録層に噴射され、記録層の磁性層１４０ａまたは潤滑層１４０ｂを溶融または溶解することで、磁性層に埋め込まれた情報を正常に読み出せなくする。
【００５２】
なお、上述した実施の形態における溶液容器は、磁気記録媒体の少なくとも記録層を溶融し得る溶液と共に、前記磁気記録媒体の少なくとも記録層に付着する微粒子（例えば、ガラスビーズ等）を含んでいてもよい。このようにすると、より確実に磁性層に埋め込まれた情報を正常に読み出せなくすることができる。
【００５３】
次に、本発明の第五の実施の形態に係るハードディスク装置５００を図９ないし図１１を参照しつつ説明する。本発明の第五の実施の形態によるハードディスク装置５００は、筐体５２０内に設けられ、ハードディスク１４０（本実施の形態では２個）の少なくとも記録層を溶融し得る酸性溶液を包含する酸性溶液容器５８０と、酸性溶液を中和するアルカリ性溶液を包含するアルカリ性溶液容器５９０とを備えている。そして、筐体５２０の開封に応答して、酸性溶液容器５８０内の酸性溶液およびアルカリ性溶液容器５９０内のアルカリ性溶液をハードディスク１４０の記録層に噴射させるために、ハードディスク１４０の記録層に対向して開口する複数のノズル５７１を有するノズル管５７０（本実施の形態では３本）と、該ノズル管５７０と酸性溶液容器５８０およびアルカリ性溶液容器５９０の吐出口とをそれぞれ連結するビニールホース製などの配管５７２および配管５７４とを備えている。配管５７２および配管５７４にはそれぞれ逆止弁５７３および逆止弁５７５が配設されている。
【００５４】
酸性溶液容器５８０およびアルカリ性溶液容器５９０は、（アルカリ性溶液容器については括弧内その符号を示す）二重容器であり、その内容器５８２（５９２）内に酸性溶液（アルカリ性溶液）がそれぞれ１気圧以上の圧力Ｐ１で封入されている。そして、内容器５８２（５９２）の少なくとも吐出口５８４（５９４）にそれぞれヒータ５８５（５９５）を備えている。外容器５８６（５９６）は所定の距離隔てて内容器５８２（５９２）を囲繞しており、そしてその吐出口５８８（５９８）が上述の配管５７２（５７４）に連結されている。
【００５５】
さらに、ヒータ５８５（５９５）に対する通電手段として、第四の実施の形態と同様に、ハードディスク装置５００内に一次または二次電池を有し、さらに前述の開封センサを備えている。なお、前実施の形態と同一機能部位については同一符号を用い重複説明を避ける。
【００５６】
そこで、本発明の第五の実施の形態に係るハードディスク装置５００では、図１１に示すように、ハードディスク装置５００の筐体５２０が開けられたことを、開封センサにより検出し、この開封センサの出力信号を用いて、酸性溶液容器５８０の内容器５８２の少なくとも吐出口５８４に設けられたヒータ５８５に通電する。すると、通電による急激な加熱でガラス製の酸性溶液容器５８０には、ヒータ５８５とガラスとの熱膨張係数の相違による応力が発生し、その吐出口５８４が破断され、配管５７２およびノズル管５７０を介して、ノズル５７１から酸性溶液が噴霧される。すると、該酸性溶液により磁気記録媒体の記録層（磁性層）、潤滑層が溶解されることになる。なお、本実施の形態では、図１１に示すように、酸性溶液容器５８０のヒータ５８５に通電した後、所定時間経過したとき、すなわち、記録層、潤滑層の溶解がほぼ完了した頃に、アルカリ性溶液容器５９０のヒータ５９５に通電するようにし、同様に、アルカリ性溶液容器５９０の吐出口５９４を破断させ、アルカリ性溶液を配管５７４およびノズル管５７０を介して、ノズル５７１から噴霧させることにより、中和させる。かくて、無害化され、安全性が保証される。
【００５７】
次に、本発明の第六の実施の形態に係るハードディスク装置６００を図１２を参照して説明する。第六の実施の形態は、第五の実施の形態に用いたアルカリ性溶液に代えて、アルカリ性粉末を用いたことのみを相違点とする。その他の構成は第五の実施の形態とほぼ同じであるから、同一機能部位については同一符号を用い重複説明を避け、異なる点のみ重点的に説明する。すなわち、第六の実施の形態では、アルカリ性粉末がガラス製二重容器である、アルカリ性粉末容器６９０の内容器（不図示）内に１気圧以上の圧力で封入されている。そして、外容器の吐出口が配管６７４を介して、酸性溶液用とは別のノズル管５７０の他端に連結されている。
【００５８】
また、本発明の第七の実施の形態に係るハードディスク装置７００を図１３および図１４を参照して説明する。この第七の実施の形態は、第六の実施の形態がガラス製二重容器を用いたのに代え、図１４に示すように、ガラス製一重容器であるアルカリ性粉末容器７９０を用い、その吐出口７９４にヒータ７９５が設けられている。そして、アルカリ性粉末容器７９０内にはアルカリ性粉末と共に１気圧以上に加圧された気体が封止されている。なお、吐出口７９４は配管には接続されず、筐体７０２内にアルカリ性粉末が散布されるように、その方向が定められている。
【００５９】
これらの第六の実施の形態および第七の実施の形態においても、第五の実施の形態と同様に、筐体６２０および７２０が開けられたことが、開封センサにより検出されると、この開封センサの出力信号に応じて、酸性溶液容器５８０の内容器５８２の吐出口５８４に設けられたヒータ５８５に通電され、その吐出口５８４が破断されることにより、ノズル５７１から酸性溶液が噴霧される。そして、酸性溶液容器５８０のヒータ５８５に通電した後、所定時間経過したときに、アルカリ性粉末容器６９０（７９０）のヒータ６９５（７９５）に通電される。
【００６０】
すると、第六の実施形態では、アルカリ性粉末容器６９０の吐出口６９４が破断され、アルカリ性粉末が配管６７４およびノズル管５７０を介して、ノズル５７１から噴霧されハードディスク１４０の表面の均質的な中和が行われる。一方、第七の実施形態では、アルカリ性粉末容器７９０の吐出口７９４が破断され、アルカリ性粉末が筐体７２０内に噴霧され、ハードディスク１４０のみならず筐体７２０内が全体的に中和されることになる。かくて、無害化され、安全性が保証される。
【００６１】
なお、上述した容器はガラス製の例につき説明したが、セラミック製または高分子樹脂製の容器としてもよいことはいうまでもない。
【００６２】
【発明の効果】
本発明によれば、ハードディスク装置を開けて、ハードディスクに記録されているコンテンツ情報を読み出そうとしても、磁気記録媒体の少なくとも記録層を溶融し得る物質により、磁気記録媒体の記録を消去するので、コンテンツの読み出しが完全に阻止され、コンテンツ提供者の著作権を保護することが出来る。
【００６３】
また、酸性溶液を中和させるアルカリ性溶液を追加して噴霧するようにしたので、無害化され、安全性が保証される。
【図面の簡単な説明】
【図１】本発明によるハードディスク装置の第一の実施の形態を示す断面図である。
【図２】本発明に用いられる溶液容器の一例を示す断面図であり、（Ａ）は密封時、（Ｂ）は開封時の状態を示す。
【図３】本発明に用いられる溶液容器の他の例を示す断面図である。
【図４】本発明によるハードディスク装置の第二の実施の形態を示す断面図である。
【図５】本発明によるハードディスク装置の第二の実施の形態の溶液容器付近の構造を示し、（Ａ）は側断面図、（Ｂ）は平断面図である。
【図６】本発明によるハードディスク装置の第三の実施の形態を示す断面図である。
【図７】本発明によるハードディスク装置の第三の実施の形態のラチェット機構の一例を示す断面図である。
【図８】本発明によるハードディスク装置の第四の実施の形態を示す断面図である。
【図９】本発明によるハードディスク装置の第五の実施の形態を示す断面図である。
【図１０】本発明に用いられる二重の溶液容器の一例を示す断面図である。
【図１１】本発明の実施形態におけるヒータへの通電タイミングの一例を示すタイムチャートである。
【図１２】本発明によるハードディスク装置の第六の実施の形態を示す断面図である。
【図１３】本発明によるハードディスク装置の第七の実施の形態を示す断面図である。
【図１４】本発明に用いられる一重の粉末容器の一例を示す断面図である。
【符号の説明】
１００、２００、３００、４００、５００、６００、７００、　　ハードディスク装置
１２０、２２０、３２０、４２０、５２０、６２０、７２０　　筐体
１３０、２３０　　第一の圧力密閉室
１４０　　ハードディスク（磁気記録媒体）
１４４　　磁気ヘッド
２５０　　内側筐体
２６０　　可動部材
１８０、２８０、３８０，４８０　　溶液容器
１９０　　回路基板
５８０　　酸性溶液容器
５９０　　アルカリ性溶液容器
６９０、７９０　　アルカリ性粉末容器
【図１】
2004103201.tif 000003
【図２】
2004103201.tif 000004
【図３】
2004103201.tif 000005
【図４】
2004103201.tif 000006
【図５】
2004103201.tif 000007
【図６】
2004103201.tif 000008
【図７】
2004103201.tif 000009
【図８】
2004103201.tif 000010
【図９】
2004103201.tif 000011
【図１０】
2004103201.tif 000012
【図１１】
2004103201.tif 000013
【図１２】
2004103201.tif 000014
【図１３】
2004103201.tif 000015
【図１４】
2004103201.tif 000016